(57)【要約】【課題】  筐体を移動させ、保守する対象機能部を定位置のままで保守を可能とすることにより、保守タイプによる複数の装置タイプの用意が不要となる。【解決手段】  筐体に依存することの無い各機能部の実装構成とし、筐体稼動レール、レールベルト駆動用動力および機能部搭載枠を設けることによりこれを可能とできる。金融機関等に設置される自動機での保守操作の際、操作対象となる各ユニット部は固定不動とし、筐体部を紙幣取扱部の紙幣搬送用モータを使用することにより移動させ、保守スペースを考慮した複数の装置タイプを用意することが不要となる。【選択図】  図４
2005128732.tif 000002
【特許請求の範囲】
【請求項１】
ガイダンス表示部、入力部、回線部、モータ等による媒体搬送可能な媒体取扱部および装置筐体の移動が可能なレール付筐体を有し、内蔵する各機能部が筐体の外装部と分割され、各機能部を搭載した骨格部は設置位置を移動することなく、筐体外装部のみが前側または後側に移動できる、構造を有する自動取引装置において、筐体の外装を移動させることにより内蔵する各機能部の保守操作を可能とすることを特徴とした自動取引装置。
【発明の詳細な説明】
【技術分野】
【０００１】
本発明は金融機関等に設置される自動機の保守操作時、筐体の外装のみを移動させることにより、内蔵する筐体骨格部に搭載した各機能部（以下ユニット）の保守操作可能とする装置の構造方式に関する。
【背景技術】
【０００２】
従来自動取引装置では、内蔵する各機能部が障害等に至った場合、対象ユニットを設置スペースに合せ装置筐体の前側または後側に引出す、または装置全体をレール等により引出し移動させた上で対象ユニットを引出し、保守スペースを確保の上、保守を可能としてきた。
【０００３】
【特許文献１】特開２００２−２６００５６号公報
【発明の開示】
【発明が解決しようとする課題】
【０００４】
金融機関等に設置される自動機では、障害等による内蔵各ユニット部を保守する場合、対象ユニット部を基本的には保守等用に設けられた後方スペースに装置筐体より引出して行う（後面保守タイプ）。
【０００５】
しかし、常に後方に保守用スペースがあるわけでないため、メーカは、前方からでも保守が可能な様に対象ユニット部を前方に引出すことが可能なタイプも用意する必要があった（前面保守タイプ）。
【０００６】
また、装置全体を例えば、前側に移動させ、保守スペースを確保できる機能を備えるスライド装置が必要であった。
【０００７】
本発明のとおり、保守するべき各ユニット部は常に定位置固定であり、装置利用者用にスペースのある前面側に筐体移動を可能とすれば、保守スペースに左右されることなく、１つのタイプで対応が可能となる。
【０００８】
また、一部の部品変更により、前・後面保守型の装置への切替が可能となる。
【課題を解決するための手段】
【０００９】
本発明は、上記目的を達成するために保守操作時、骨格部に搭載された保守対象ユニット部は定位置のままとし、周囲を覆う筐体の外装部が移動することにより、定位置での各機能部の保守操作を可能とする手段を設けたことを特徴としている。
【発明の効果】
【００１０】
本発明によれば、金融機関等に設置される自動機において、設置するスペースに合せた保守操作による複数の装置タイプを用意する必要が無くなる。
【発明を実施するための最良の形態】
【００１１】
以下、本発明の一実施形態による保守時の筐体移動方式を図面を用いて詳細に説明する。
【００１２】
図１は本実施形態による現金自動取引装置の内部構成を示す図である。
【００１３】
現金自動取引装置１（以下装置に省略）は図１の如く操作ガイダンス等の表示が可能な表示部２と該表示部２の上に配置され取引内容等を入力するためのタッチパネル等からなる入力部３、ＩＤカードやクレジットカード等を読み取り取引の明細票を印字出力するカード・明細票取扱部４、通帳の読み取り、発行及び印字を行う通帳取扱部５、紙幣の入出金および筐体移動を可能とする紙幣取扱部６、同じく硬貨を取扱う硬貨取扱部７、金融機関のセンタと必要に応じてデータの送受信を行う回線部８、保守時筐体が移動可能な筐体９から構成されている。
【００１４】
保守対象部位（ユニット部）を固定した状態のユニット部実装方法を図２に示す。
【００１５】
本装置では、筐体部はユニット部を隠す化粧枠の役割のみを担うものであり、装置ユニット部とは独立しているので、ユニット部は筐体部無しで現金自動取引装置として設置可能とする必要がある。
【００１６】
図２では仮に筐体部を外した状態の図を示す。
【００１７】
この場合、各ユニット部の実装に通常の筐体の代わりとして筐体枠１４を使用する。本筐体枠は骨組みとなる骨格とユニットを引出すためのユニット移動用レール１５により成立っている。
【００１８】
この状態で設置場所に設置することにより筐体の無い状態でユニット部を設置可能とすることが可能となる。
【００１９】
また、この状態で保守が必要な場合、各ユニットの実装は骨格１４で成立っていることから、ユニットの操作面を各々ユニット外側にしておけば、各側面より実装した状態で保守が可能となる。
【００２０】
また、どうしてもユニット内側（各ユニットが向かい合う面）での保守操作が必要となる場合は、ユニット移動用レールにより不要ユニットを移動させることによりユニット内側からの保守を可能とする。
【００２１】
例えば図２では上部搭載ユニットが並行して２台並んでいる。図で奥側に実装されているユニット１８を手前側より保守操作したい場合、手前に実装されるユニット１７が邪魔となる。このような場合にユニット移動用レール１５により、ユニット１７を装置前側に移動させる。これにより１８の操作が可能となる。
【００２２】
上記構成で成立っているユニット部に対し、外枠である筐体部を取付けた、最終状態での保守操作を図２、図３により説明する。
【００２３】
図３で筐体部９は筐体移動用駆動部１０を有する紙幣取扱部レール１６とユニット部設置用筐体枠１４に取付けの筐体移動用レール（図２の１９）上に実装される。
【００２４】
ユニット部は筐体枠１４で各ユニットと一緒に設置され、これに筐体を被せた格好となっており、この状態で外枠である筐体部９のみレール１６，１９により移動することが、可能となる。
【００２５】
なお、図３の例では、紙幣取扱部に駆動ユニットを持たせ、電動で筐体が移動するようになっているが、手動で移動する場合も考えられ、この場合は紙幣取扱部レール１６は、１９レール同様筐体枠に取付けられる。
【００２６】
また、ユニット実装構成で説明したが、筐体部がある場合もユニット保守操作可能面によっては、ユニットを移動させることが必要であるが、この場合操作しないユニットを筐体部の移動と同じ前側にユニット移動用レール１５使用し、移動させれば各面からの保守が可能となる。
【００２７】
図４は筐体の移動に使用する駆動部を示す。
【００２８】
筐体移動用駆動部１０は、通常紙幣搬送用ベルト２０を稼動させるためのものである。
【００２９】
通常エンドユーザ等による運用では、クラッチ部１２により紙幣搬送ベルト用のギヤに繋がっており、紙幣搬送用ベルトが回転する。
【００３０】
これに対し、保守時筐体移動操作の場合、クラッチ部１２により紙幣搬送部に実装の筐体部移動用レール１６駆動用ギヤに切替えられ、これによりレールを前方に送り出すことにより、レール上にある筐体が移動される。
【００３１】
本装置でたとえば、紙幣取扱部に紙幣がつまった場合の保守操作について以下に示す。
【００３２】
まず、つまった紙幣を取り除くため紙幣取扱部を操作可能な状態にする必要がる。このため筐体を移動させるが、この筐体を移動させるための動力に通常紙幣を搬送するため使用する紙幣取扱部の搬送モータ１０を使用する。
【００３３】
紙幣つまりを保守する保守員が装置内の係員操作パネル１１に設けられた筐体移動始動スイッチを押下することにより、通常紙幣搬送に使用するモータ１０の動力をクラッチ１２が作動し、紙幣取扱部に実装される筐体移動用レール１６稼動ギヤに変更させる。
【００３４】
これにより、筐体移動用レールが前方に動作し、レール上に乗っている筐体が装置前方に進む。
【００３５】
筐体が移動した後は筐体枠に実装された各ユニット部のみとなり保守操作が可能となる。
【００３６】
なお、これまでの例は、前方に筐体部を移動させることを例とし、説明したが、後方への移動については、筐体枠にユニットを実装する際のユニット移動用レール、筐体を設置する際の筐体移動用レールを後面移動タイプに変更することおよびクラッチによる後方移動用ギヤへの駆動変更で行うことが可能となる。
【図面の簡単な説明】
【００３７】
【図１】現金自動取引装置内機器構成図。
【図２】ユニット部実装方法を説明する図。
【図３】筐体移動方式構成図。
【図４】筐体移動方式構成図。
【符号の説明】
【００３８】
１…現金自動取引装置、２…表示部、３…入力部、４…カード・明細票取扱部、５…通帳取扱部、６…紙幣取扱部、７…硬貨取扱部、８…回線部、９…筐体部、１０…紙幣およびレールベルト駆動モータ、１１…係員操作用パネル、１２…駆動切替クラッチ、１３…制御部、１４…ユニット載用筐体枠、１５…ユニット移動用レール、１６…紙幣取扱部実装筐体移動用レール，１７，１８…上部実装ユニット、１９…筐体枠実装筐体移動用レール、２０…通常紙幣搬送用ベルト。
【図１】
2005128732.tif 000003
【図２】
2005128732.tif 000004
【図３】
2005128732.tif 000005
【図４】
2005128732.tif 000006